(57)【特許請求の範囲】
【請求項１】
カラーをエンハンスする方法であって、
現在処理されている画像のルミナンスコンポーネントを取得するステップと、
前記現在処理されている画像のイルミネーションコンポーネントを取得するため、前記ルミナンスコンポーネントに対してガウスフィルタリング処理を実行するステップと、
前記ルミナンスコンポーネントと前記イルミネーションコンポーネントとに従って前記現在処理されている画像の第１反射コンポーネントを取得するステップと、
第２反射コンポーネントを取得するため、前記第１反射コンポーネントに対してエンハンスメント調整を実行するステップと、
前記ルミナンスコンポーネントと前記第２反射コンポーネントとに従ってルミナンスゲインを取得するステップと、
第１エンハンス画像を取得するため、前記ルミナンスゲインに従って前記現在処理されている画像に対してエンハンスメント処理を実行するステップと、
を有する方法。
【請求項２】
前記第２反射コンポーネントを取得するため、前記第１反射コンポーネントに対してエンハンスメント調整を実行するステップは、
前記第１反射コンポーネントに対してリニアストレッチングを実行するステップと、
前記第２反射コンポーネントを取得するため、前記リニアストレッチング後に取得された前記第１反射コンポーネントに対して前記エンハンスメント調整を実行するステップと、
を有する、請求項１記載の方法。
【請求項３】
Ｒコンポーネント、Ｇコンポーネント及びＢコンポーネントを有するカラーコンポーネントセットを取得するため、ＲＧＢ空間原理に従って前記現在処理されている画像を分解するステップと、
前記カラーコンポーネントセットにおける各カラーコンポーネントに対して同一のスケールのウェーブレットローパスフィルタリング処理をそれぞれ実行するステップであって、これによりイルミネーションコンポーネントセットを取得し、前記イルミネーションコンポーネントセットは、前記現在処理されている画像のＲチャネルのイルミネーションコンポーネント、前記現在処理されている画像のＧチャネルのイルミネーションコンポーネント及び前記現在処理されている画像のＢチャネルのイルミネーションコンポーネントを有する、実行するステップと、
前記カラーコンポーネントセットと前記イルミネーションコンポーネントセットとに従って第１反射コンポーネントセットを取得するステップであって、前記第１反射コンポーネントセットは、前記現在処理されている画像のＲチャネルの第１反射コンポーネント、前記現在処理されている画像のＧチャネルの第１反射コンポーネント及び前記現在処理されている画像のＢチャネルの第１反射コンポーネントを有する、取得するステップと、
第２反射コンポーネントセットを取得するため、前記第１反射コンポーネントセットにおける各チャネルの反射コンポーネントに対してそれぞれマルチカラー復元処理を実行するステップと、
前記第２反射コンポーネントセットの各チャネルの反射コンポーネントに対してそれぞれリニアストレッチングを実行するステップと、
前記リニアストレッチング後に取得される前記第２反射コンポーネントに従って第２エンハンス画像を取得するステップと、
を更に有する、請求項１記載の方法。
【請求項４】
カラーをエンハンスするための装置であって、
現在処理されている画像のルミナンスコンポーネントを取得するよう構成される第１取得部と、
前記現在処理されている画像のイルミネーションコンポーネントを取得するため、前記第１取得部により取得される前記ルミナンスコンポーネントに対してガウスフィルタリング処理を実行するよう構成される第１フィルタリング部と、
前記第１取得部により取得されるルミナンスコンポーネントと前記第１フィルタリング部により取得されるイルミネーションコンポーネントとに従って、前記現在処理されている画像の第１反射コンポーネントを取得するよう構成される第２取得部と、
第２反射コンポーネントを取得するため、前記第２取得部により取得された前記第１反射コンポーネントに対してエンハンスメント調整を実行するよう構成される調整部と、
前記第１取得部により取得されるルミナンスコンポーネントと前記調整部により取得される第２反射コンポーネントとに従ってルミナンスゲインを取得するよう構成される第３取得部と、
第１エンハンス画像を取得するため、前記第３取得部により取得されるルミナンスゲインに従って前記現在処理されている画像に対してエンハンスメント処理を実行するよう構成されるエンハンスメント処理部と、
を有する装置。
【請求項５】
前記調整部は、
前記第１反射コンポーネントに対してリニアストレッチングを実行するよう構成されるストレッチングモジュールと、
前記第２反射コンポーネントを取得するため、前記リニアストレッチング後に取得される前記第１反射コンポーネントに対してエンハンスメント調整を実行するよう構成される調整モジュールと、
を有する、請求項４記載の装置。
【請求項６】
カラーコンポーネントセットを取得するため、ＲＧＢ空間原理に従って前記現在処理されている画像を分解するよう構成される第４取得部であって、前記カラーコンポーネントセットは、Ｒコンポーネント、Ｇコンポーネント及びＢコンポーネントを有する、第４取得部と、
前記第４取得部により取得される前記カラーコンポーネントセットの各カラーコンポーネントに対してそれぞれ同一のスケールのウェーブレットローパスフィルタリング処理を実行するよう構成される第２フィルタリング部であって、これによりイルミネーションコンポーネントセットを取得し、前記イルミネーションコンポーネントセットは、前記現在処理されている画像のＲチャネルのイルミネーションコンポーネント、前記現在処理されている画像のＧチャネルのイルミネーションコンポーネント及び前記現在処理されている画像のＢチャネルのイルミネーションコンポーネントを有する、第２フィルタリング部と、
前記第４取得部により取得される前記カラーコンポーネントセットと前記第２フィルタリング部によって取得される前記イルミネーションコンポーネントセットとに従って、第１反射コンポーネントセットを取得するよう構成される第５取得部であって、前記第１反射コンポーネントセットは、前記現在処理されている画像のＲチャネルの第１反射コンポーネント、前記現在処理されている画像のＧチャネルの第１反射コンポーネント及び前記現在処理されている画像のＢチャネルの第１反射コンポーネントを有する、第５取得部と、
前記第５取得部により取得される前記第１反射コンポーネントセットの各チャネルの反射コンポーネントに対してマルチカラー復元処理をそれぞれ実行するよう構成される復元処理部であって、これにより第２反射コンポーネントセットを取得する復元処理部と、
前記復元処理部により取得された前記第２反射コンポーネントセットの各チャネルの反射コンポーネントに対してそれぞれリニアストレッチングを実行するよう構成されるストレッチング部と、
前記リニアストレッチング後に取得される第２反射コンポーネントに従って第２エンハンス画像を取得するよう構成される第６取得部と、
を更に有する、請求項４記載の装置。
【発明の詳細な説明】
【技術分野】
【０００１】
本発明は、画像処理分野に関し、特にカラーをエンハンスするための方法及び装置に関する。
【背景技術】
【０００２】
情報技術の継続的な発達によって、人々は画質に対してますます高い要求を有するようになってきている。画像を取得する処理において、画像は画像撮影装置及び照明などの各種ファクタの影響の下でクリアにされない可能性があることが一般に知られている。従って、人々はクリアな画像を見ることが可能であることを確実にするため、エンハンスメント処理が画像に対して実行される必要がある。これは、画像のダイナミックレンジを効果的に圧縮することによって画像のコントラストを改善し、これにより、画質を向上させることが可能である。
【０００３】
米国の物理学者であるＥｄｗｉｎ  Ｌａｎｄは、カラー恒常性に基づくＲｅｔｉｎｅｘ理論を提案した。これは、人間により知覚されるオブジェクトのカラーが当該オブジェクトの表面の反射特性に密接に関連し、光源の強度や非一様な照射などの不確実なファクタによる影響を受けない。従来技術では、カラー恒常性に基づきマルチスケールカラーエンハンスメント手段が提案されている。当該手段の基本的な原理は、ルミナンスコンポーネントがオリジナル画像から抽出され、オリジナル画像の反射コンポーネントが隔離されるように、マルチスケールガウスフィルタリングが、オリジナル画像のイルミネーションコンポーネントを取得するため、オリジナル画像のルミナンスコンポーネントに対して実行され、その後、ルミナンスエンハンスメントレシオが反射コンポーネントとルミナンスコンポーネントとに従って取得され、最後に、オリジナル画像の３つのカラーチャネルが、エンハンスされた画像を取得するため、ルミナンスエンハンスメントとそれぞれ乗算される。
【０００４】
上述された画像エンハンスメントを実現する処理において、本発明者は、従来技術が少なくとも以下の問題を有することを認識している。画像に対するエンハンスメントは、ルミナンスエンハンスメントレシオとオリジナル画像の３つのカラーチャネルのそれぞれを乗算することによって実現される。しかしながら、これは、オリジナル画像における高いルミナンスを有する領域を明るすぎるものにし、従って、過剰エンハンスメントの状態が生じ、さらに、当該部分の特定の詳細化された情報が失われ、オリジナル画像における低ルミナンスを有する領域がまた、大量のノイズを有するようにされる可能性がある。
【発明の概要】
【発明が解決しようとする課題】
【０００５】
本発明の実施例は、エンハンスメント処理の実行後に生じるオリジナル画像における高いルミナンスを有する領域に対する過剰エンハンスメントのケースを解決し、エンハンスメント処理の実行後にオリジナル画像における低ルミナンスを有する領域において発生する大量のノイズを解消するため、カラーをエンハンスするための方法及び装置を提供する。
【課題を解決するための手段】
【０００６】
上記課題を解決するため、本発明は、以下の技術的手段を採用する。
【０００７】
本発明の第１の態様は、カラーをエンハンスする方法であって、
現在処理されている画像のルミナンスコンポーネントを取得するステップと、
前記現在処理されている画像のイルミネーションコンポーネントを取得するため、前記ルミナンスコンポーネントに対してガウスフィルタリング処理を実行するステップと、
前記ルミナンスコンポーネントと前記イルミネーションコンポーネントとに従って前記現在処理されている画像の第１反射コンポーネントを取得するステップと、
第２反射コンポーネントを取得するため、前記第１反射コンポーネントに対してエンハンスメント調整を実行するステップと、
前記ルミナンスコンポーネントと前記第２反射コンポーネントとに従ってルミナンスゲインを取得するステップと、
第１エンハンス画像を取得するため、前記ルミナンスゲインに従って前記現在処理されている画像に対してエンハンスメント処理を実行するステップと、
を有する方法を提供する。
【０００８】
第１の態様を参照して、可能な実現方法では、前記第２反射コンポーネントを取得するため、前記第１反射コンポーネントに対してエンハンスメント調整を実行するステップは、
前記第１反射コンポーネントに対してリニアストレッチングを実行するステップと、
前記第２反射コンポーネントを取得するため、前記リニアストレッチング後に取得された前記第１反射コンポーネントに対して前記エンハンスメント調整を実行するステップと、
を有する。
【０００９】
第１の態様と上述された可能な実現方法とを参照して、他の可能な実現方法では、本方法は更に、
Ｒコンポーネント、Ｇコンポーネント及びＢコンポーネントを有するカラーコンポーネントセットを取得するため、ＲＧＢ空間原理に従って前記現在処理されている画像を分解するステップと、
前記カラーコンポーネントセットにおける各カラーコンポーネントに対して同一のスケールのウェーブレットローパスフィルタリング処理をそれぞれ実行するステップであって、これによりイルミネーションコンポーネントセットを取得し、前記イルミネーションコンポーネントセットは、前記現在処理されている画像のＲチャネルのイルミネーションコンポーネント、前記現在処理されている画像のＧチャネルのイルミネーションコンポーネント及び前記現在処理されている画像のＢチャネルのイルミネーションコンポーネントを有する、実行するステップと、
前記カラーコンポーネントセットと前記イルミネーションコンポーネントセットとに従って第１反射コンポーネントセットを取得するステップであって、前記第１反射コンポーネントセットは、前記現在処理されている画像のＲチャネルの第１反射コンポーネント、前記現在処理されている画像のＧチャネルの第１反射コンポーネント及び前記現在処理されている画像のＢチャネルの第１反射コンポーネントを有する、取得するステップと、
第２反射コンポーネントセットを取得するため、前記第１反射コンポーネントセットにおける各チャネルの反射コンポーネントに対してそれぞれマルチカラー復元処理を実行するステップと、
前記第２反射コンポーネントセットの各チャネルの反射コンポーネントに対してそれぞれリニアストレッチングを実行するステップと、
前記リニアストレッチング後に取得される前記第２反射コンポーネントに従って第２エンハンス画像を取得するステップと、
を更に有する。
【００１０】
第１の態様と上述された可能な実現方法とを参照して、他の可能な実現方法では、前記カラーコンポーネントセットと前記イルミネーションコンポーネントセットとに従って第１反射コンポーネントセットを取得するステップは、
前記カラーコンポーネントセットの各カラーコンポーネントをそれぞれ同一のレシオにより増幅するステップと、
前記処理後のカラーコンポーネントセットと前記イルミネーションコンポーネントセットとに従って前記第１反射コンポーネントセットを取得するステップと、
を有する。
【００１１】
第１の態様と上述された可能な実現方法とを参照して、他の可能な実現方法では、第１エンハンス画像を取得するため、前記ルミナンスゲインに従って前記現在処理されている画像に対してエンハンスメント処理を実行し、前記リニアストレッチング後に取得された前記第２反射コンポーネントに従って第２エンハンス画像を取得した後、当該方法は更に、前記第１エンハンス画像と前記第２エンハンス画像とに従って前記現在処理されている画像のエンハンス画像を取得するステップを有する。
【００１２】
本発明の第２の態様は、
現在処理されている画像のルミナンスコンポーネントを取得するよう構成される第１取得部と、
前記現在処理されている画像のイルミネーションコンポーネントを取得するため、前記第１取得部により取得される前記ルミナンスコンポーネントに対してガウスフィルタリング処理を実行するよう構成される第１フィルタリング部と、
前記第１取得部により取得されるルミナンスコンポーネントと前記第１フィルタリング部により取得されるイルミネーションコンポーネントとに従って、前記現在処理されている画像の第１反射コンポーネントを取得するよう構成される第２取得部と、
第２反射コンポーネントを取得するため、前記第２取得部により取得された前記第１反射コンポーネントに対してエンハンスメント調整を実行するよう構成される調整部と、
前記第１取得部により取得されるルミナンスコンポーネントと前記調整部により取得される第２反射コンポーネントとに従ってルミナンスゲインを取得するよう構成される第３取得部と、
第１エンハンス画像を取得するため、前記第３取得部により取得されるルミナンスゲインに従って前記現在処理されている画像に対してエンハンスメント処理を実行するよう構成されるエンハンスメント処理部と、
を有する装置を提供する。
【００１３】
第２の態様を参照して、可能な実現方法では、前記調整部は、
前記第１反射コンポーネントに対してリニアストレッチングを実行するよう構成されるストレッチングモジュールと、
前記第２反射コンポーネントを取得するため、前記リニアストレッチング後に取得される前記第１反射コンポーネントに対してエンハンスメント調整を実行するよう構成される調整モジュールと、
を有する。
【００１４】
第２の態様と上述された可能な実現方法とを参照して、本装置は更に、
カラーコンポーネントセットを取得するため、ＲＧＢ空間原理に従って前記現在処理されている画像を分解するよう構成される第４取得部であって、前記カラーコンポーネントセットは、Ｒコンポーネント、Ｇコンポーネント及びＢコンポーネントを有する、第４取得部と、
前記第４取得部により取得される前記カラーコンポーネントセットの各カラーコンポーネントに対してそれぞれ同一のスケールのウェーブレットローパスフィルタリング処理を実行するよう構成される第２フィルタリング部であって、これによりイルミネーションコンポーネントセットを取得し、前記イルミネーションコンポーネントセットは、前記現在処理されている画像のＲチャネルのイルミネーションコンポーネント、前記現在処理されている画像のＧチャネルのイルミネーションコンポーネント及び前記現在処理されている画像のＢチャネルのイルミネーションコンポーネントを有する、第２フィルタリング部と、
前記第４取得部により取得される前記カラーコンポーネントセットと前記第２フィルタリング部によって取得される前記イルミネーションコンポーネントセットとに従って、第１反射コンポーネントセットを取得するよう構成される第５取得部であって、前記第１反射コンポーネントセットは、前記現在処理されている画像のＲチャネルの第１反射コンポーネント、前記現在処理されている画像のＧチャネルの第１反射コンポーネント及び前記現在処理されている画像のＢチャネルの第１反射コンポーネントを有する、第５取得部と、
前記第５取得部により取得される前記第１反射コンポーネントセットの各チャネルの反射コンポーネントに対してマルチカラー復元処理をそれぞれ実行するよう構成される復元処理部であって、これにより第２反射コンポーネントセットを取得する復元処理部と、
前記復元処理部により取得された前記第２反射コンポーネントセットの各チャネルの反射コンポーネントに対してそれぞれリニアストレッチングを実行するよう構成されるストレッチング部と、
前記リニアストレッチング後に取得される第２反射コンポーネントに従って第２エンハンス画像を取得するよう構成される第６取得部と、
を更に有する。
【００１５】
第２の態様と上述された可能な実現方法とを参照して、他の可能な実現方法では、前記第５取得部は、
前記第４取得部により取得されたカラーコンポーネントセットの各カラーコンポーネントをそれぞれ同一のレシオにより増幅するよう構成される処理モジュールと、
前記処理後のカラーコンポーネントセットと前記第２フィルタリング部により取得された前記イルミネーションコンポーネントセットとに従って前記第１反射コンポーネントセットを取得するよう構成される取得モジュールと、
を有する。
【００１６】
第２の態様と上述された可能な実現方法とを参照して、他の可能な実現方法では、本装置は更に、
前記エンハンスメント処理部が前記ルミナンスゲインに従って前記現在処理されている画像に対してエンハンスメント処理を実行することによって前記第１エンハンス画像を取得し、前記第６取得部が前記リニアストレッチング後に取得された前記第２反射コンポーネントに従って前記第２エンハンス画像を取得した後、前記エンハンスメント処理部により取得された第１エンハンス画像と前記第６取得部により取得された第２エンハンス画像とに従って、前記現在処理されている画像のエンハンス画像を取得するよう構成される第７取得部を更に有する。
【発明の効果】
【００１７】
本発明の実施例により提供されるカラーをエンハンスするための方法及び装置によると、ガウスフィルタリング処理が、現在処理されている画像のイルミネーションコンポーネントを取得するため、取得されたルミナンスコンポーネントに対して実行され、現在処理されている画像の第１反射コンポーネントが、ルミナンスコンポーネントとイルミネーションコンポーネントとに従って取得され、第２反射コンポーネントを取得するため、エンハンスメント調整が第１反射コンポーネントに対して実行され、その後、ルミナンスゲインが、ルミナンスコンポーネントと第２反射コンポーネントとに従って取得され、最終的に、エンハンス画像を取得するため、エンハンスメント処理が、ルミナンスゲインに従って現在処理されている画像に対して実行される。本発明の実施例により提供される手段は、画像のカラーフィデリティを保証し、エンハンスメント処理の実行後に生じるオリジナル画像の高ルミナンスを有する領域に対する過剰エンハンスメントのケースを解決し、エンハンスメント処理の実行後にオリジナル画像の低ルミナンスを有する領域に生じる大量のノイズを解消するのに利用可能である。
【図面の簡単な説明】
【００１８】
本発明の実施例又は従来技術における技術手段をより明確に説明するため、以下において、実施例又は従来技術を説明するのに要求される添付した図面が概略的に紹介される。明らかに、以下の説明における添付した図面は、本発明のいくつかの実施例を単に示し、当業者は、創作的な努力なく添付した図面から他の図面を依然と導出してもよい。
【図１】図１は、本発明の実施例によるカラーをエンハンスするための方法のフローチャートである。
【図２】図２は、本発明の他の実施例によるカラーをエンハンスするための方法のフローチャートである。
【図３】図３は、本発明の他の実施例によるカラーをエンハンスするための装置の概略的な構成図である。
【図４】図４は、本発明の他の実施例によるカラーをエンハンスするための他の装置の概略的な構成図である。
【図５】図５は、本発明の他の実施例によるカラーをエンハンスするための更なる他の装置の概略的な構成図である。
【発明を実施するための形態】
【００１９】
以下において、本発明の実施例における添付した図面を参照して、本発明の実施例における技術的手段が明確かつ完全に説明される。明らかに、説明される実施例は本発明の実施例の全てでなく単なる一部である。創作的な努力なく本発明の実施例に基づき当業者により取得される他の全ての実施例は、本発明の保護範囲に属する。
【００２０】
本発明の実施例は、カラーをエンハンスするための方法を提供する。図１に示されるように、本方法は以下を含むものであってもよい。
【００２１】
１０１．現在処理されている画像のルミナンスコンポーネントを取得するステップ。
【００２２】
１０２．現在処理されている画像のイルミネーションコンポーネントを取得するため、ルミナンスコンポーネントに対してガウスフィルタリング処理を実行する。
【００２３】
ガウスフィルタリングは、現在処理されている画像のカラーフィデリティを効果的に保証可能である。従って、本発明の実施例では、ルミナンスコンポーネントは、ガウスフィルタリングを利用することによって処理され、これにより、現在処理されている画像のイルミネーションコンポーネントを取得できる。
【００２４】
１０３．ルミナンスコンポーネントとイルミネーションコンポーネントとに従って現在処理されている画像の第１反射コンポーネントを取得する。
【００２５】
１０４．第２反射コンポーネントを取得するため、第１反射コンポーネントに対してエンハンスメント調整を実行する。
【００２６】
現在処理されている画像の高ルミナンスを有する領域に発生する過剰エンハンスメントのケースを回避し、エンハンスメントの実行後に現在処理されている画像の低ルミナンスを有する領域に発生する大量のノイズのケースを回避するため、本発明の実施例では、現在処理されている画像の第１反射コンポーネントがルミナンスコンポーネントとイルミネーションコンポーネントとに従って取得された後、エンハンスメント処理が第２反射コンポーネントを取得するため第１反射コンポーネントに対して実行され、これにより過剰エンハンスメントとノイズのケースを回避するようにしてもよい。
【００２７】
１０５．ルミナンスコンポーネントと第２反射コンポーネントとに従ってルミナンスゲインを取得する。
【００２８】
１０６．第１エンハンス画像を取得するため、ルミナンスゲインに従って現在処理されている画像に対してエンハンスメント処理を実行する。
【００２９】
本発明の実施例により提供されるカラーをエンハンスする方法によると、害すフィルタリング処理が、現在処理されている画像のイルミネーションコンポーネントを取得するため、ガウスフィルタリング処理が取得したルミナンスコンポーネントに対して実行され、現在処理されている画像の第１反射コンポーネントが、ルミナンスコンポーネントとイルミネーションコンポーネントとに従って取得され、第２反射コンポーネントを取得するため、第１反射コンポーネントに対してエンハンスメント調整が実行され、その後、ルミナンスコンポーネントと第２反射コンポーネントとに従ってルミナンスゲインが取得され、最後に、エンハンス画像を取得するため、ルミナンスゲインに従って現在処理されている画像に対してエンハンスメント処理が実行される。本発明の実施例により提供される手段は、画像のカラーフィデリティを確保し、エンハンスメント処理の実行後に引き起こされるオリジナル画像の高ルミナンスを有する領域に対する過剰エンハンスメントのケースを解決し、エンハンスメント処理の実行後にオリジナル画像の低ルミナンスを有する領域に生じる大量のノイズを解消するのに利用可能である。
【００３０】
本発明の他の実施例は、カラーをエンハンスするための方法を提供する。図２に示されるように、本方法は以下を含むものであってもよい。
【００３１】
カラー整合性理論に基づき提案されるＲｅｔｉｎｅｘ理論は、イルミネーションコンポーネント推定に基づく方法の理論である。当該理論は、画像が反射コンポーネントとイルミネーションコンポーネントとを乗算した積により形成されることについて成り立つ。オリジナル画像の本質的情報を反映することが可能であるのは反射コンポーネントであり、イルミネーションコンポーネントは、実質的に画像と干渉し、収集された画像の不満足な視覚的効果を生じさせる。従って、イルミネーションコンポーネントは、アルゴリズムを用いることによって計算され、その後、イルミネーションコンポーネントは、オリジナル画像から取り除かれる。すなわち、画像の干渉部分は取り除かれ、これにより、画像エンハンスメントを実現するための画像の反射コンポーネントを取得することができる。本発明の実施例では、画像エンハンスメントはまた、Ｒｅｔｉｎｅｘ理論に基づき実現される。具体的な実現方法は以下のステップを有してもよい。
【００３２】
２０１．現在処理されている画像のルミナンスコンポーネントを取得する。
【００３３】
現在処理されている画像のルミナンスコンポーネントは、ＨＳＶ空間モデルに従って取得される。例えば、現在処理されている画像の全てのピクセルのうちの何れか１つのピクセルに関して、ピクセルのＲ，Ｇ及びＢコンポーネントの最大値が、ピクセルのルミナンスコンポーネントとして利用され、その後、同じ処理が現在処理されている画像の全てのピクセルに対して実行される。最後に、全てのピクセルのルミナンスコンポーネントが取得される。このようにして、全てのピクセルのルミナンスコンポーネントが、現在処理されている画像のルミナンスコンポーネントを取得するため組み合わされてもよい。
【００３４】
２０２．現在処理されている画像のイルミネーションコンポーネントを取得するため、ルミナンスコンポーネントに対してガウスフィルタリング処理を実行する。
【００３５】
現在処理されている画像のルミナンスコンポーネントが取得された後、ガウスフィルタリング処理が、現在処理されている画像のイルミネーションコンポーネントを取得するため、ルミナンスコンポーネントに対して実行されてもよい。ガウスフィルタリングは、画像のカラーフィデリティを効果的に確保するため利用可能である。
【００３６】
２０３．ルミナンスコンポーネントとイルミネーションコンポーネントとに従って現在処理されている画像の第１反射コンポーネントを取得する。
【００３７】
現在処理されている画像のルミナンスコンポーネントとイルミネーションコンポーネントとが取得された後、現在処理されている画像の第１反射コンポーネントが、取得されたルミナンスコンポーネントとイルミネーションコンポーネントとに従って取得されてもよい。具体的には、第１反射コンポーネントを取得するための方法は、以下の式に従って取得されてもよい。
Ｒ１＝ｌｏｇ（Ｉ）−ｌｏｇ（Ｌ）
ただし、Ｒ１は現在処理されている画像の第１反射コンポーネントであり、Ｉは原味処理されている画像のルミナンスコンポーネントであり、Ｌは現在処理されている画像のイルミネーションコンポーネントである。
【００３８】
２０４．第１反射コンポーネントに対してリニアストレッチングを実行する。
【００３９】
取得された第１反射コンポーネントのダイナミックレンジを圧縮するため、リニアストレッチングが第１反射コンポーネントに対して実行されてもよい。具体的には、現在処理されている画像の全てのピクセルの平均と平均二乗誤差とがまず計算され、リニアストレッチングのための最大値及び最小値が取得され、リニアストレッチング処理が、リニアストレッチングのための最大値及び最小値に従って第１反射コンポーネントに対して実行される。具体的な計算式が以下に示される。
【数１】
0005864817.tif 000002
μは現在処理されている画像の平均であり、σは現在処理されている画像の平均二乗誤差であり、正規分布の３σルールに従って、現在処理されている画像の大部分のピクセルのピクセル値は［μ−３σ，μ＋３σ］の範囲内に属するとみなされ、エンハンスされた画像のコントラストを改善するため、αは一般に約２．０であってもよく、Ｒ１は現在処理されている画像の第１反射コンポーネントであり、Ｒはリニアストレッチング後に取得される第１反射コンポーネントである。
【００４０】
２０５．第２反射コンポーネントを取得するため、リニアストレッチング後に取得される第１反射コンポーネントに対してエンハンスメント調整を実行する。
【００４１】
画像のより良好なカラー及びディスプレイ効果を生成するため、ノイズ及び過剰エンハンスメントのケースを効果的に回避するため、エンハンスメント調整が、第２反射コンポーネントを取得するため、リニアストレッチング後に取得された第１反射コンポーネントに対して実行されてもよい。具体的には、エンハンスメント調整は、以下の式に従ってリニアストレッチング後に取得される第１反射コンポーネントに対して実行されてもよい。
【数２】
0005864817.tif 000003
Ｒ２は現在処理されている画像の第２反射コンポーネントであり、Ｒはリニアストレッチング後に取得される第１反射コンポーネントであり、Ｉは現在処理されている画像のルミナンスコンポーネントである。
【００４２】
２０６．ルミナンスコンポーネントと第２反射コンポーネントとに従ってルミナンスゲインを取得する。
【００４３】
エンハンスメント調整が第２反射コンポーネントを取得するためリニアストレッチング後に取得された第１反射コンポーネントに対して実行された後、ルミナンスゲインが、第２反射コンポーネントとルミナンスコンポーネントとに従って取得されてもよい。具体的には、ルミナンスゲインは、以下の式に従って取得されてもよい。
【数３】
0005864817.tif 000004
Ｋはルミナンスゲインであり、Ｒ２は現在処理されている画像の第２反射コンポーネントであり、Ｉは現在処理されている画像のルミナンスコンポーネントである。
【００４４】
２０７．第１エンハンス画像を取得するため、ルミナンスゲインに従って現在処理されている画像に対してエンハンスメント処理を実行する。
【００４５】
ルミナンスゲインが取得された後、エンハンスメント処理が、現在処理されている画像に対してルミナンスゲインに従って実行されてもよい。具体的には、現在処理されている画像のＲ，Ｇ及びＢの３つのカラーチャネルが、それぞれルミナンスゲインと乗算され、これにより、最終的にエンハンス画像、すなわち、第１エンハンス画像を取得することができる。
【００４６】
ガウスフィルタリング処理を利用して現在処理されている画像のイルミネーションコンポーネントを推定することは、エンハンスメント後に急激な画像ルミナンスの変化を有するエッジ領域に対してハロー現象を生じさせることが一般に知られている。従って、エンハンス画像をより自然に見せるため、本発明の実施例では、以降のステップ２０８〜２１３を実行することによって、第２エンハンス画像が取得され、その後、第１エンハンス画像と第２エンハンス画像との結果が、最終的なエンハンス画像を取得するため、ステップ２１４を実行することによって合成され、これにより、最適な画像エンハンスメント効果を生じさせることができる。
【００４７】
２０８．カラーコンポーネントセットを取得するため、ＲＧＢ空間原理に従って現在処理されている画像を分解する。
【００４８】
カラーコンポーネントセットは、Ｒコンポーネント、Ｇコンポーネント及びＢコンポーネントを有する。
【００４９】
２０９．カラーコンポーネントセットの各カラーコンポーネントに対してそれぞれ同一のスケールのウェーブレットローパスフィルタリング処理を実行し、これにより、イルミネーションコンポーネントセットを取得する。
【００５０】
ガウスフィルタリング処理を実行することによってイルミネーションコンポーネントを取得することにより生じるハロー現象に対する改善を生成するため、本発明の実施例では、同一のスケールのウェーブレットローパスフィルタリング処理が、カラーコンポーネントセットの各カラーコンポーネントに対してそれぞれ実行され、これにより、現在処理されている画像のイルミネーションコンポーネントセットを取得することができる。ここで、イルミネーションコンポーネントセットは、現在処理されているＲチャネルのイルミネーションコンポーネント、現在処理されているＧチャネルのイルミネーションコンポーネント及び現在処理されているＢチャネルのイルミネーションコンポーネントを含む。これは、ハロー現象を回避する。更に、ウェーブレットローパスフィルタリング処理を実行する効率性が高まる。すなわち、イルミネーションコンポーネントセットを取得するための時間が低減される。
【００５１】
２１０．カラーコンポーネントセットとイルミネーションコンポーネントセットとに従って第１反射コンポーネントセットを取得する。
【００５２】
カラーコンポーネントセットとイルミネーションコンポーネントセットとが取得された後、第１反射コンポーネントセットが、カラーコンポーネントセットとイルミネーションコンポーネントセットとに従って取得されてもよく、第１反射コンポーネントセットは、現在処理されている画像のＲチャネルの第１反射コンポーネント、現在処理されている画像のＧチャネルの第１反射コンポーネント及び現在処理されている画像のＢチャネルの第１反射コンポーネントを含む。
【００５３】
エンハンスメント処理が画像エンハンスメントを実現するため、現在処理されている画像の３つのカラーチャネルのそれぞれに対して実行されるとき、これら画像の３つのカラーチャネルは相互に関連しているため、シンプルなエンハンスメント処理しか実行されない場合、カラー歪みが明らかに生じることが一般に知られている。従って、本発明の実施例では、反射コンポーネントが復元された後、カラーコンポーネントは、可能な限り画像のカラーフィデリティを確保するため調整される。具体的には、以下のステップ２１０ａ及び２１０ｂが実行されてもよい。
【００５４】
２１０ａ．カラーコンポーネントセットの各カラーコンポーネントをそれぞれ同一のレシオにより増幅する。
【００５５】
イルミネーションコンポーネントセットは、ウェーブレットローパスフィルタリング処理を実行することによって取得され、これは、エンハンス画像の重大なカラー歪みを生じさせる可能性があり、エンハンス画像のカラーがオリジナル画像のカラーと実質的に同じになることを確実にするため、本発明の実施例では、カラーコンポーネントセットの各カラーコンポーネントは、同一のレシオにより増幅されてもよい。例えば、カラーコンポーネントセットの各カラーコンポーネントは、１＋βによりそれぞれ増幅されてもよく、ここで、βは増幅レシオである。
【００５６】
２１０ｂ．処理後のカラーコンポーネントセットとイルミネーションコンポーネントセットとに従って第１反射コンポーネントセットを取得する。
【００５７】
カラーコンポーネントセットの各カラーコンポーネントは、それぞれ同一のレシオにより増幅された後、第１反射コンポーネントセットが、処理後のカラーコンポーネントセットとイルミネーションコンポーネントセットとに従って取得されてもよい。マルチカラーコンポーネントがＲコンポーネントである具体例では、Ｒチャネルの第１反射コンポーネントは、具体的には以下の計算式に従って取得されてもよい。
Ｒｒ１＝（１＋β）ｌｏｇ（Ｉｒ）−ｌｏｇ（Ｌｒ）
ただし、Ｒｒ１はＲチャネルの第１反射コンポーネントであり、ＩｒはＲコンポーネントであり、ＬｒはＲチャネルのイルミネーションコンポーネントであり、ベータはカラーコンポーネントセットの各カラーコンポーネントを増幅するためのレシオであり、βの値の範囲は０＜β＜１であってもよい。
【００５８】
２１１．第２反射コンポーネントセットを取得するため、第１反射コンポーネントセットの各チャネルの反射コンポーネントに対して、それぞれマルチカラー復元処理を実行する。
【００５９】
第１反射コンポーネントセットが取得された後、マルチカラー復元処理が、第２反射コンポーネントセットを取得するため、第１反射コンポーネントセットの各チャネルの反射コンポーネントに対してそれぞれ実行されてもよい。具体的なカラー復元処理は、マルチカラーコンポーネントがＲコンポーネントである具体例において、以下の式に従って実行されてもよい。
Ｒｒ２＝Ｃｒ×Ｒｒ１
ただし、Ｒｒ２はＲチャネルの第２反射コンポーネントであり、ＣｒはＲチャネルのカラー復元ファクタであり、
【数４】
0005864817.tif 000005
であり、ＩｒはＲコンポーネントであり、ＩｇはＧコンポーネントであり、ＩｂはＢコンポーネントであり、Ｒｒ１はＲチャネルの第１反射コンポーネントである。
【００６０】
２１２．第２反射コンポーネントセットの各チャネルの反射コンポーネントに対してそれぞれリニアストレッチングを実行する。
【００６１】
第２反射コンポーネントセットが取得された後、リニアストレッチングが、第２反射コンポーネントの各チャネルの反射コンポーネントに対してそれぞれ実行されてもよい。
【００６２】
リニアストレッチングのための具体的なパラメータの説明のため、本発明の実施例のステップ２０４における対応するパラメータの説明が参照されてもよく、それは本発明の実施例において繰り返し説明されないことに留意すべきである。
【００６３】
２１３．リニアストレッチング後に取得される第２反射コンポーネントに従って第２エンハンス画像を取得する。
【００６４】
リニアストレッチング後に取得される第２反射コンポーネントの取得後、第２エンハンス画像が、リニアストレッチング後に取得された第２反射コンポーネントに従って取得されてもよい。
【００６５】
本発明の実施例では、ステップ２０１〜２０７及びステップ２０８〜２１３について実行順序は指定されないことに留意すべきである。本発明の実施例は、ステップ２０１〜２０７とステップ２０８〜２１３との実行順序に限定を設定しない。
【００６６】
２１４．第１エンハンス画像と第２エンハンス画像とに従って現在処理されている画像のエンハンス画像を取得する。
【００６７】
第１エンハンス画像と第２エンハンス画像とが取得された後、エンハンス処理を２回実行することによって取得された画像が合成されてもよい。すなわち、現在処理されている画像のエンハンス画像は、第１エンハンス画像と第２エンハンス画像とを合成することによって取得されてもよい。具体的には、最終的なエンハンス画像は以下の式に従って取得されてもよい。
Ｉｏｕｔ＝ｗ×Ｉｏｕｔ１＋（１−ｗ）×Ｉｏｕｔ２
ただし、Ｉｏｕｔは最終的に取得されるエンハンス画像であり、Ｉｏｕｔ１は第１エンハンス画像であり、Ｉｏｕｔ２は第２エンハンス画像であり、ｗは一般に０．５であってもよい第１エンハンス画像と第２エンハンス画像とに対して加重計算を実行するためのウェイトである。
【００６８】
本発明の実施例により提供されるカラーをエンハンスするための方法によると、ガウスフィルタリング処理が、現在処理されている画像のイルミネーションコンポーネントを取得するため、取得されたルミナンスコンポーネントに対して実行され、現在処理されている画像の第１反射コンポーネントが、ルミナンスコンポーネントとイルミネーションコンポーネントとに従って取得され、エンハンスメント調整が、第２反射コンポーネントを取得するため、第１反射コンポーネントに対して実行され、その後、ルミナンスゲインが、ルミナンスコンポーネントと第２反射コンポーネントとに従って取得され、最終的に、エンハンス画像を取得するため、エンハンスメント処理が、ルミナンスゲインに従って現在処理されている画像に対して実行される。本発明の実施例により提供される手段は、画像のカラーフィデリティを確保し、エンハンスメント処理の実行後に生じるオリジナル画像の高ルミナンスを有する領域に対する過剰エンハンスメントのケースを解決し、エンハンスメント処理の実行後にオリジナル画像の低ルミナンスを有する領域に対して発生する大量のノイズを解消するため利用可能である。
【００６９】
更に、シングルスケールフィルタリング方法が、計算量を低減するため利用され、ウェーブレットローパスフィルタリングが、イルミネーションコンポーネントを取得するため利用され、これは、ハロー現象を効果的に回避し、イルミネーションコンポーネントを取得するための処理期間を低減することを可能にする。反射コンポーネントの復元後、画像のカラーフィデリティを更に確保するため、カラーコンポーネントが調整される。最終的に、２つの処理方法を利用することによって取得される結果は、最終的なエンハンス画像を取得するため合成され、最終的なエンハンス画像はこれら２つの方法より良好である。
【００７０】
本発明の他の実施例は、カラーをエンハンスするための装置を提供し、図３に示されるように、当該装置は、第１取得部３０１、第１フィルタリング部３０２、第２取得部３０３、調整部３０４、第３取得部３０５及びエンハンスメント処理部３０６を有する。
【００７１】
第１取得部３０１は、現在処理されている画像のルミナンスコンポーネントを取得するよう構成される。
【００７２】
第１フィルタリング部３０２は、現在処理されている画像のイルミネーションコンポーネントを取得するため、第１取得部３０１により取得されるルミナンスコンポーネントに対してガウスフィルタリング処理を実行するよう構成される。
【００７３】
第２取得部３０３は、第１取得部３０１により取得されるルミナンスコンポーネントと第１フィルタリング部３０２により取得されるイルミネーションコンポーネントとに従って、現在処理されている画像の第１反射コンポーネントを取得するよう構成される。
【００７４】
調整部３０４は、第２反射コンポーネントを取得するため、第２取得部３０３により取得された第１反射コンポーネントに対してエンハンスメント調整を実行するよう構成される。
【００７５】
第３取得部３０５は、第１取得部３０１により取得されるルミナンスコンポーネントと調整部３０４により取得される第２反射コンポーネントとに従ってルミナンスゲインを取得するよう構成される。
【００７６】
エンハンスメント処理部３０６は、第１エンハンス画像を取得するため、第３取得部３０５により取得されるルミナンスゲインに従って現在処理されている画像に対してエンハンスメント処理を実行するよう構成される。
【００７７】
更に、図４に示されるように、調整部３０４は、ストレッチングモジュール３０４１と調整モジュール３０４２とを有してもよい。
【００７８】
ストレッチングモジュール３０４１は、第１反射コンポーネントに対してリニアストレッチングを実行するよう構成される。
【００７９】
調整モジュール３０４２は、第２反射コンポーネントを取得するため、リニアストレッチング後に取得される第１反射コンポーネントに対してエンハンスメント調整を実行するよう構成される。
【００８０】
更に、本装置は更に、第４取得部３０７、第２フィルタリング部３０８、第４取得部３０９、復元処理部３１０、ストレッチング部３１１及び第６取得部３１２を有してもよい。
【００８１】
第４取得部３０７は、カラーコンポーネントセットを取得するため、ＲＧＢ空間原理に従って現在処理されている画像を分解するよう構成される。ここで、カラーコンポーネントセットは、Ｒコンポーネント、Ｇコンポーネント及びＢコンポーネントを有する。
【００８２】
第２フィルタリング部３０８は、第４取得部３０７により取得されるカラーコンポーネントセットの各カラーコンポーネントに対してそれぞれ同一のスケールのウェーブレットローパスフィルタリング処理を実行するよう構成され、これによりイルミネーションコンポーネントセットを取得し、イルミネーションコンポーネントセットは、現在処理されている画像のＲチャネルのイルミネーションコンポーネント、現在処理されている画像のＧチャネルのイルミネーションコンポーネント及び現在処理されている画像のＢチャネルのイルミネーションコンポーネントを有する。
【００８３】
第５取得部３０９は、第４取得部３０７により取得されるカラーコンポーネントセットと第２フィルタリング部３０８によって取得されるイルミネーションコンポーネントセットとに従って、第１反射コンポーネントセットを取得するよう構成される。第１反射コンポーネントセットは、現在処理されている画像のＲチャネルの第１反射コンポーネント、現在処理されている画像のＧチャネルの第１反射コンポーネント及び現在処理されている画像のＢチャネルの第１反射コンポーネントを有する。
【００８４】
復元処理部３１０は更に、第５取得部３０９により取得される第１反射コンポーネントセットの各チャネルの反射コンポーネントに対してマルチカラー復元処理をそれぞれ実行するよう構成され、これにより第２反射コンポーネントセットを取得する。
【００８５】
ストレッチング部３１１は、復元処理部３１０により取得された第２反射コンポーネントセットの各チャネルの反射コンポーネントに対してそれぞれリニアストレッチングを実行するよう構成される。
【００８６】
第６取得部３１２は、リニアストレッチング後に取得される第２反射コンポーネントに従って第２エンハンス画像を取得するよう構成される。
【００８７】
更に、第５取得部３０９は、処理モジュール３０９１と取得モジュール３０９２とを有してもよい。
【００８８】
処理モジュール３０９１は、第４取得部３０７により取得されたカラーコンポーネントセットの各カラーコンポーネントをそれぞれ同一のレシオにより増幅するよう構成される。
【００８９】
取得モジュール３０９２は、処理後のカラーコンポーネントセットと第２フィルタリング部３０８により取得されたイルミネーションコンポーネントセットとに従って第１反射コンポーネントセットを取得するよう構成される。
【００９０】
更に、本装置は更に、第７取得部３１３を有してもよい。
【００９１】
第７取得部３１３は、エンハンスメント処理部３０６がルミナンスゲインに従って現在処理されている画像に対してエンハンスメント処理を実行することによって第１エンハンス画像を取得し、第６取得部３１２がリニアストレッチング後に取得された第２反射コンポーネントに従って第２エンハンス画像を取得した後、エンハンスメント処理部３０６により取得された第１エンハンス画像と第６取得部３１２により取得された第２エンハンス画像とに従って、現在処理されている画像のエンハンス画像を取得するよう構成される。
【００９２】
本発明の実施例により提供されるカラーをエンハンスするための装置によると、ガウスフィルタリング処理が、現在処理されている画像のイルミネーションコンポーネントを取得するため、取得されたルミナンスコンポーネントに対して実行され、現在処理されている画像の第１反射コンポーネントが、ルミナンスコンポーネントとイルミネーションコンポーネントとに従って取得され、エンハンスメント調整が、第２反射コンポーネントを取得するため、第１反射コンポーネントに対して実行され、その後、ルミナンスゲインが、ルミナンスコンポーネントと第２反射コンポーネントとに従って取得され、最終的に、エンハンス画像を取得するため、エンハンスメント処理が、ルミナンスゲインに従って現在処理されている画像に対して実行される。本発明の実施例により提供される手段は、画像のカラーフィデリティを確保し、エンハンスメント処理の実行後に生じるオリジナル画像の高ルミナンスを有する領域に対する過剰エンハンスメントのケースを解決し、エンハンスメント処理の実行後にオリジナル画像の低ルミナンスを有する領域に対して発生する大量のノイズを解消するため利用可能である。
【００９３】
更に、シングルスケールフィルタリング方法が、計算量を低減するため利用され、ウェーブレットローパスフィルタリングが、イルミネーションコンポーネントを取得するため利用され、これは、ハロー現象を効果的に回避し、イルミネーションコンポーネントを取得するための処理期間を低減することを可能にする。反射コンポーネントの復元後、画像のカラーフィデリティを更に確保するため、カラーコンポーネントが調整される。最終的に、２つの処理方法を利用することによって取得される結果は、最終的なエンハンス画像を取得するため合成され、最終的なエンハンス画像はこれら２つの方法より良好である。
【００９４】
本発明の他の実施例は、カラーをエンハンスするための装置を提供し、図５に示されるように、当該装置は、少なくとも１つのプロセッサ４１、メモリ４２、通信インタフェース４３及びバス４４を有し、少なくとも１つのプロセッサ４１、メモリ及び通信インタフェース４３は、バス４４を利用することによって互いに接続及び通信される。
【００９５】
バス４４は、Ｉｎｄｕｓｔｒｙ  Ｓｔａｎｄａｒｄ  Ａｒｃｈｉｔｅｃｔｕｒｅ（ＩＳＡ）バス、Ｐｅｒｉｐｈｅｒａｌ  Ｃｏｍｐｏｎｅｎｔ  Ｉｎｔｅｒｃｏｎｎｅｃｔ（ＰＣＩ）バス、Ｅｘｔｅｎｄｅｄ  Ｉｎｄｕｓｔｒｙ  Ｓｔａｎｄａｒｄ  Ａｒｃｈｉｔｅｃｔｕｒｅ（ＥＩＳＡ）バスなどであってもよい。バス４４は、アドレスバス、データバス、コントロールバスなどに分類されてもよい。便宜上、バスは、図５において１つの実線を用いることによって表されるが、それは、１つのバスしかない、又は１つのタイプのバスしかないことを示すものでない。
【００９６】
メモリ４２は、実行可能なプログラムコードを格納するよう構成され、プログラムコードは、コンピュータ処理命令を有する。メモリ４２は、ハイスピードＲＡＭメモリを有してもよく、また少なくとも１つのディスクメモリなどの不揮発性メモリを有してもよい。
【００９７】
プロセッサ４１は、中央処理ユニット（Ｃｅｎｔｒａｌ  Ｐｒｏｃｅｓｓｉｎｇ  Ｕｎｉｔ，ＣＰＵ）又は特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）であってもよいし、あるいは、本発明の実施例を実現する１以上の集積回路となるよう構成されてもよい。
【００９８】
通信インタフェース４３は、主として本実施例による装置間の通信を実現するよう構成される。
【００９９】
プロセッサ４１は更に、現在処理されている画像のルミナンスコンポーネントを取得し、現在処理されている画像のイルミネーションコンポーネントを取得するため、ルミナンスコンポーネントに対してガウスフィルタリング処理を実行し、ルミナンスコンポーネントとイルミネーションコンポーネントとに従って、現在処理されている画像の第１反射コンポーネントを取得し、第２反射コンポーネントを取得するため、第１反射コンポーネントに対してエンハンスメント調整を実行し、ルミナンスコンポーネントと第２反射コンポーネントとに従ってルミナンスゲインを取得し、第１エンハンス画像を取得するため、ルミナンスゲインに従って現在処理されている画像に対してエンハンスメント処理を実行するよう構成される。
【０１００】
更に、プロセッサ４１は更に、第１反射コンポーネントに対してリニアストレッチングを実行し、第２反射コンポーネントを取得するため、リニアストレッチング後に取得される第１反射コンポーネントに対してエンハンスメント調整を実行するよう構成される。
【０１０１】
更に、プロセッサ４１は更に、カラーコンポーネントセットを取得するため、ＲＧＢ空間原理に従って現在処理されている画像を分解し、ここで、カラーコンポーネントセットは、Ｒコンポーネント、Ｇコンポーネント及びＢコンポーネントを有し、カラーコンポーネントセットの各カラーコンポーネントに対してそれぞれ同一のスケールのウェーブレットローパスフィルタリング処理を実行し、これによりイルミネーションコンポーネントセットを取得し、ここで、イルミネーションコンポーネントセットは、現在処理されている画像のＲチャネルのイルミネーションコンポーネント、現在処理されている画像のＧチャネルのイルミネーションコンポーネント及び現在処理されている画像のＢチャネルのイルミネーションコンポーネントを有し、カラーコンポーネントセットとイルミネーションコンポーネントセットとに従って、第１反射コンポーネントセットを取得し、ここで、第１反射コンポーネントセットは、現在処理されている画像のＲチャネルの第１反射コンポーネント、現在処理されている画像のＧチャネルの第１反射コンポーネント及び現在処理されている画像のＢチャネルの第１反射コンポーネントを有し、第１反射コンポーネントセットの各チャネルの反射コンポーネントに対してマルチカラー復元処理をそれぞれ実行し、これにより第２反射コンポーネントセットを取得し、第２反射コンポーネントセットの各チャネルの反射コンポーネントに対してそれぞれリニアストレッチングを実行し、リニアストレッチング後に取得される第２反射コンポーネントに従って第２エンハンス画像を取得するよう構成される。
【０１０２】
更に、プロセッサ４１は更に、カラーコンポーネントセットの各カラーコンポーネントをそれぞれ同一のレシオにより増幅し、処理後のカラーコンポーネントセットとイルミネーションコンポーネントセットとに従って第１反射コンポーネントセットを取得するよう構成される。
【０１０３】
更に、プロセッサ４１は更に、ルミナンスゲインに従って現在処理されている画像に対してエンハンスメント処理を実行することによって第１エンハンス画像を取得し、リニアストレッチング後に取得された第２反射コンポーネントに従って第２エンハンス画像を取得した後、第１エンハンス画像と第２エンハンス画像とに従って、現在処理されている画像のエンハンス画像を取得するよう構成される。
【０１０４】
本発明の実施例により提供されるカラーをエンハンスするための装置によると、ガウスフィルタリング処理が、現在処理されている画像のイルミネーションコンポーネントを取得するため、取得されたルミナンスコンポーネントに対して実行され、現在処理されている画像の第１反射コンポーネントが、ルミナンスコンポーネントとイルミネーションコンポーネントとに従って取得され、エンハンスメント調整が、第２反射コンポーネントを取得するため、第１反射コンポーネントに対して実行され、その後、ルミナンスゲインが、ルミナンスコンポーネントと第２反射コンポーネントとに従って取得され、最終的に、エンハンス画像を取得するため、エンハンスメント処理が、ルミナンスゲインに従って現在処理されている画像に対して実行される。本発明の実施例により提供される手段は、画像のカラーフィデリティを確保し、エンハンスメント処理の実行後に生じるオリジナル画像の高ルミナンスを有する領域に対する過剰エンハンスメントのケースを解決し、エンハンスメント処理の実行後にオリジナル画像の低ルミナンスを有する領域に対して発生する大量のノイズを解消するため利用可能である。
【０１０５】
更に、シングルスケールフィルタリング方法が、計算量を低減するため利用され、ウェーブレットローパスフィルタリングが、イルミネーションコンポーネントを取得するため利用され、これは、ハロー現象を効果的に回避し、イルミネーションコンポーネントを取得するための処理期間を低減することを可能にする。反射コンポーネントの復元後、画像のカラーフィデリティを更に確保するため、カラーコンポーネントが調整される。最終的に、２つの処理方法を利用することによって取得される結果は、最終的なエンハンス画像を取得するため合成され、最終的なエンハンス画像はこれら２つの方法より良好である。
【０１０６】
上記実施例の説明によると、当業者は、本発明が必要な通常のハードウェアによりソフトウェアによって実現可能であることを明らかに理解してもよい。おそらく、本発明はまたハードウェアのみにより実現されてもよい。しかしながら、前者は好適な実現方法である。このような理解に基づき、従来技術に実質的に又は部分的に貢献する本発明の技術的手段は、ソフトウェアの形態により実現されてもよい。コンピュータソフトウェアは、コンピュータのフロッピー（登録商標）ディスク、ハードディスク又は光ディスクなどの可読な記憶媒体に格納され、本発明の実施例に説明される方法を実行するようコンピュータ装置（パーソナルコンピュータ、サーバ、ネットワーク装置などであってもよい）に指示するための複数の命令を有する。
【０１０７】
上記説明は、本発明の単なる特定の実施例にすぎず、本発明の保護範囲を限定することを意図していない。本発明に開示される技術的範囲内に当業者により容易に理解される変形又は置換は、本発明の保護範囲内に属する。従って、本発明の保護範囲は、請求項の保護範囲に従う。
【図１】
0005864817.tif 000006
【図２】
0005864817.tif 000007
【図３】
0005864817.tif 000008
【図４】
0005864817.tif 000009
【図５】
0005864817.tif 000010